(57)【要約】【課題】  ごみ箱をきれいに使用するための、レジ袋等が装着できるごみ箱が市場に数多く出回っている。しかしその中には、ごみ箱の構造が複雑な物や袋等の装着作業工程が多い物等取扱いが面倒で、その機能が十分生かされていない物も多い。本考案は、その欠点を補うため、ごみ箱の構造の単純化を基本とし、利便性と機能性を重視したごみ箱を追求する。【解決手段】  本考案は、ごみ投入口部の縁を変形Ｌ型等に成形し、レジ袋等の端を収納するための収納部（２ａ）を設け、その収納入口部（２ｂ）にゴム系のリング（３）を装着し、収納スペース（２ｃ）を確保した構造の収納部縁付きごみ箱（図１）てある。  この構造の特徴はごみ箱の形（型）状とゴム系のリング（３）にあるが、そのゴムの特性である伸縮・弾力がレジ袋等の端（６）を収納入口部（２ｂ）に容易に収納させ、更にはゴムの復元力で収納した袋等の端（６）をしっかり支え、ゴミの重みで袋体（５）のズレ落ちを防止する。【選択図】図１
0003135297.tif 000002
【実用新案登録請求の範囲】
【請求項１】
ごみ箱のゴミ投入口部の縁を外側に変形Ｌ型・コの字型・カール状型等等に成形し、レジ袋等の端が収納できるスペースを確保した構造の収納部縁付きのごみ箱。
【請求項２】
前記、構造のレジ袋等の端を収納する入口部に、軟質のゴムのリングを取り付けた収納部縁付きを特徴としたごみ箱。
【請求項３】
本考案のごみ箱とは、ごみ箱本体と前記、〔請求項１・２〕の構造の縁が一体のごみ箱と同構造の収納部縁付きの蓋を、ごみ箱本体に取り付けたごみ箱の二種類を指す。
【請求項４】
前記、〔請求項３〕の収納部縁付きの蓋には、請求項２の収納入口部にゴムのリングを使用した蓋の他、蓋全体をゴム体にしたものも含む。
【請求項５】
ごみ箱本体の形状は、円筒・角筒・錐体等や底部の有無は問わず、全てに対応できる。収納部付き縁の形状は、前記ごみ箱本体の形状に連動する。
【請求項６】
前記〔請求項１〕から〔請求項５〕掲げた構造及び機能は、本考案のごみ箱の他、袋体を使用するプラスチック製バケツや鉢等にも適用したものである。
【考案の詳細な説明】
【技術分野】
【０００１】  この考案は、レジ袋等の端を簡単且つきれいに収納できる機能を有した、収納部縁付きごみ箱を提供するものである。
【背景技術】
【０００２】  従来のごみ箱には、レジ袋等をきれいに装着できるものも、数多く出回っている。しかし、その中には構造が複雑であったり、袋の装着工程が何段階もあり、レジ袋等の装着が面倒なものもある。又本考案の機能を有した構造のごみ箱は存在しない。
【考案の開示】
【考案が解決しようとする課題】
【０００３】  本考案は、ごみ箱にレジ袋等の袋体を簡単に装着、且つその端をきれいに収納できる機能を有したごみ箱の提供を目的とする。【０００４】  ごみ箱本体にレジ袋等の端が収納できる縁を設け、収納スペースを確保する。【０００５】  レジ袋の端をごみ箱の縁に収納したら、その端が戻らない収納部の構造やそれに最も適した素材を選択する。【０００６】  ごみ箱本体と収納部付き縁を一体化あるいは分離化を図り、それぞれの特徴を生かしたごみ箱を追求する。【０００７】  ごみ箱本体の形状に連動した、収納部付き縁の形状を確保する。
【課題を解決するための手段】
【０００８】  レジ袋等の端（６）が収納できる機能を有した、収納部縁付き（２）を特徴としたごみ箱（図１）（図２）を提供する。【０００９】  収納部付き縁（２）は、ゴミ投入口の上部の形状は円形・角形等でその縁を変形Ｌ型（２ａ）・コの字型やカール状型等に成形し、レジ袋等の端（６）が収納できる収納スペース（２ｃ）を確保した構造とする。【００１０】  その収納部の形（型）状は前記〔０００９〕の通りであるが、その収納入口部（２ｂ）にゴム系のリング（３）を取り付けた縁にする。この構造にすることで、袋の端（６）の収納力と袋体（５）の固定力がアップし機能性が発揮される。【００１１】  前記〔００１０〕のゴム系のリング（３）の構造を円形Ｌ型（図３）等の立体に成形することで、収納入口部（２ｂ）に容易に取り付けられます。又、前記構造（図２）のリング（３）は、長期に使用しゴムが劣化した時等、スペアーとして用意しておくことで、簡単に交換が可能になります。尚、後述する〔００１３〕の収納部縁付き蓋（４）の場合、ゴム系のリング（３）を使用した蓋の他に、蓋全体をごゴム体にする事も可能である。これにより袋体（５）の押し止め効果が一段と高まる。【００１２】  ごみ箱本体（１）と本案の収納部付き縁（２）を一体化する事で、袋の装着作業工程が少なく、装着の簡素化と利便性を追求した。【００１３】  ごみ箱本体（１）と収納部縁付き蓋（４）を組み合わせる事で、押し止め効果が発揮され袋体（５）のズレ落ちを防止する。更には袋体の露出部が少なくなり美観に優れている。【００１４】  ごみ箱本体（１）の形状は、円形筒・角形筒・錐形体等や底部の有無は問わず対応できる。したかって、収納部付き縁（２）の形状もそれらに連動する。【００１５】  ごみ箱本体（１）（２）及び収納部付き縁（２）の材質は、ポリプロピレン等のビニール系・ゴム系やダンボール等の木材系・金網等の金属系での対応とする。
【考案の効果】
【００１６】  本考案のごみ箱（図１）は、レジ袋等の端を収納部に挿入するだけの装着作業工程なので、装着がいたって簡単になった。袋の端がゴムのリング（３）でしっかり収納部（２ｃ）に収納されるので、ゴミの重みで袋体がズレ落ち難くなった。又、ごみ箱の内筒全体を袋体（６）が覆うので、ごみ箱をきれいに使用できるようになった。更には、袋ごとゴミを捨てられたり、袋を装着したまま長期に使用したり等、使い分けが可能なので利便性が高くなった。【００１７】  本考案のごみ箱（図２）は、ごみ箱本体（１）と収納部縁付き蓋（２）を組み合わせなので、基本的には〔００１６〕に述べたごみ箱（１）の装着作業工程を除き、ごみ箱（１）と同一の効果を有すが、他に袋体の露出部が少なく美観に優れている。
【考案を実施するための最良の形態】
【００１８】  本考案の実施形態を添付図面に基づいて説明する。図１はごみ箱本体（１）にレジ袋等の端を収納できる収納部付き縁（２）が一体のごみ箱である。その収納部（２ａ）の入口部（２ｂ）にゴム系のリング（３）を取り付ける事で、レジ袋の端を収納部の収納スペース（２ｃ）に容易に収納できるのが特徴のごみ箱である。【００１９】  図２はごみ箱本体（１）に図１−２と同一の機能を有した収納部縁付き蓋（４）を組み合わせたごみ箱である。その構成はレジ袋等をしっかり押し止め、袋体（５）の固定力を高める働きをする。又、本考案のごみ箱（図２）はごみ箱本体（１）に装着した袋体（５）の一部を収部縁付き蓋（４）が覆うので、袋の露出部分が少なく美観に優れている。【００２０】  図３は図１・図２の収納入口部（２ｂ）に、簡単に装着できるように設計したゴム系のリング（３）斜視図及びその断面図である。そのゴム系のリング（３）は、収納部（２ａ）の収納スペース（２ｃ）に、レジ袋等の端を容易に収納させることを可能にした。更にはその収納された袋の端をそのリング（３）で覆うので、ゴミの重みにより袋体（５）のズレ落ちを防止する。それらはゴムの伸縮力・弾力・復元力等の特性を生かしたものである。
【図面の簡単な説明】
【００２１】
【図１】図面１は本考案のごみ箱本体と収納部付き縁が一体のごみ箱の斜視図及びその断面図
【００２２】
【図２】図面２は本考案のごみ箱本体と収納部縁付き蓋で構成したごみ箱の斜視図及びその断面図
【００２３】
【図３】図面３は本考案の収納部付縁の収納入口部を形成する、ゴム系のリングの斜視図及び断面図
【符号の説明】
【００２４】１．  ごみ箱本体
２．  収納部付き縁
３．  ゴム系のリング
４．  収納部縁付き蓋体
５．  レジ袋等の袋体
６．  レジ袋等の端
２ａ．レジ袋等の端の収納部
２ｂ．レジ袋等の端の収納入口部
２ｃ．レジ袋等の端の収納部の収納スペース
【図１】
0003135297.tif 000003
【図２】
0003135297.tif 000004
【図３】
0003135297.tif 000005
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
ごみ箱のゴミ投入口部の縁を外側に変形Ｌ型・コの字型・カール状型等等に成形し、レジ袋等の端が収納できるスペースを確保した構造の収納部縁付きのごみ箱。
【請求項２】
前記構造のレジ袋等の端を収納する入口部に、軟質のゴムのリングを取り付けた収納部縁付きを特徴としたごみ箱。
【請求項３】
本考案のごみ箱とは、ごみ箱本体と前記請求項１・２の構造の縁が一体のごみ箱と同構造の収納部縁を備えた蓋をごみ箱本体に取り付けたごみ箱。
【請求項４】
前記請求項３の同構造の収納部縁を備えた蓋の他、蓋全体をゴム体にした蓋をごみ箱本体に取り付けたごみ箱。